(57)【要約】【課題】捕捉した頭髪をヘアキャッチャーから取り出し、あるいは、落とし出し易いように、ヘアキャッチャー内に自然に纏めさせる。【解決手段】浴室の洗い場に設置されるトラップ３用のヘアキャッチャー１である。複数の湯水の通し孔１０ａを備えた椀状部１０を有し、その椀底側をトラップ３内に入れ込ませるようにしてトラップ３の入口部３０に設置されるようになっていると共に、一つの通し孔１０ａの開口面積を、１２ｍｍ2〜５０ｍｍ2の範囲とし、かつ、椀状部１０の内周面の面積に占める全通し孔１０ａの開口面積の割合を、１１．５％〜７．３％の範囲としている。【選択図】図１
2009174209.tif 000002
【特許請求の範囲】
【請求項１】
浴室の洗い場に設置されるトラップ用のヘアキャッチャーであって、
複数の湯水の通し孔を備えた椀状部を有し、その椀底側をトラップ内に入れ込ませるようにしてトラップの入口部に設置されるようになっていると共に、
一つの通し孔の開口面積を、１２ｍｍ2〜５０ｍｍ2の範囲とし、
かつ、椀状部の内周面の面積に占める全通し孔の開口面積の割合が、１１．５％〜７．３％の範囲となっていることを特徴とするトラップ用ヘアキャチャー。
【請求項２】
椀状部の上部と椀底との間に、通し孔のない周回領域が形成されていることを特徴とする請求項１に記載のトラップ用ヘアキャチャー。
【請求項３】
椀状部の上部に、トラップの入口部に引っかかるフランジ部を備えていることを特徴とする請求項１又は請求項２に記載のトラップ用ヘアキャチャー。
【請求項４】
椀状部の上部に、側方に突きだし、かつ、突きだし端をトラップの入口部から離れ出させるつまみ部を備えていることを特徴とする請求項１〜請求項３のいずれか１項に記載のトラップ用ヘアキャチャー。
【請求項５】
銅又は銅合金よりなることを特徴とする請求項１〜請求項４のいずれか１項に記載のヘアキャッチャー。
【発明の詳細な説明】
【技術分野】
【０００１】
この発明は、浴室の洗い場に設置されるトラップに備えられて、かかるトラップに流れ込む湯水から毛髪を取り除くために用いられるヘアキャッチャーに関する。
【背景技術】
【０００２】
浴室の洗い場に備えられるヘアキャッチャーとして、排水口に配置される網蓋よりなるものがある。（特許文献１参照）頭髪はかかる網蓋にこしとられることとなるが、頭髪は網蓋の目にからみつき、簡単には取り除きがたい。
【特許文献１】特開２００７−２０５０１３号公報
【発明の開示】
【発明が解決しようとする課題】
【０００３】
この発明が解決しようとする主たる問題点は、この種のヘアキャッチャーにおいて、捕捉した頭髪をヘアキャッチャーから取り出し、あるいは、落とし出し易いように、ヘアキャッチャー内に自然に纏めさせるようにする点にある。
【課題を解決するための手段】
【０００４】
前記課題を達成するために、この発明にあっては、トラップ用ヘアキャチャーを、浴室の洗い場に設置されるトラップ用のヘアキャッチャーであって、
複数の湯水の通し孔を備えた椀状部を有し、その椀底側をトラップ内に入れ込ませるようにしてトラップの入口部に設置されるようになっていると共に、
一つの通し孔の開口面積を、１２ｍｍ2〜５０ｍｍ2の範囲とし、
かつ、椀状部の内周面の面積に占める全通し孔の開口面積の割合が、１１．５％〜７．３％の範囲としているものとした。
【０００５】
かかる構成によれば、ヘアキャッチャーの目詰まりを生じることなく、また、洗い場で生じる湯水の速やかな排水を阻害することなく、ヘアキャッチャーの椀状部内に湯水が流れ込んできたときに渦を形成させて、毛髪をヘアキャッチャーから取り出し、あるいは、落とし出し易いように椀状部内に纏めさせることができる。
【０００６】
椀状部の上部と椀底との間に、通し孔のない周回領域を形成させておいても良い。このようにした場合、かかる周回領域によって椀状部内に流れ込む湯水が少なくても前記渦が形成されるようにすることができる。
【０００７】
かかる椀状部の上部に、トラップの入口部に引っかかるフランジ部を備えさせておけば、かかるフランジ部によってトラップにヘアキャッチャーを取り外し可能に支持させることができる。
【０００８】
また、かかる椀状部の上部に、側方に突きだし、かつ、突きだし端をトラップの入口部から離れ出させるつまみ部を備えさせておけば、このつまみ部を利用してヘアキャッチャーをトラップから容易に取り外し、そのままヘアキャッチャーを逆さにすることで椀状部にたまった毛髪を落とし出すことができ、かかる毛髪の廃棄などの作業をスムースに行うことができる。
【０００９】
また、かかるヘアキャッチャーを、銅又は銅合金よりなるものとしておけば、銅イオンの作用により、ヘアキャッチャーさらにはトラップ内を清潔に保つことができる。
【発明の効果】
【００１０】
この発明にかかるヘアキャッチャーによれば、洗い場において生じる湯水によって椀状部に渦を形成させて、この渦により捕捉した頭髪をヘアキャッチャーから取り出し、あるいは、落とし出し易いように、ヘアキャッチャー内に自然に纏めさせることができ、毛髪はヘアキャッチャーに絡みつかず、したがって、かかるヘアキャッチャーはトラップの清掃を容易なものとする特長を有する。
【発明を実施するための最良の形態】
【００１１】
以下、図１〜図５に基づいてこの発明を実施するための最良の形態について説明する。
【００１２】
なお、ここで図１はトラップ３にヘアキャッチャー１と金属イオン供給具２をそれぞれ備えさせた状態を示しており、また、図２及び図３はかかるヘアキャッチャー１を、図４及び図５はかかる金属イオン供給具２を、それぞれ示している。
【００１３】
この実施の形態にかかるヘアキャッチャー１は、浴室の洗い場に設置されるトラップ３に備えられて、かかるトラップ３に流れ込む湯水から毛髪を取り除くために用いられるものである。
【００１４】
具体的には、かかるヘアキャッチャー１は、トラップ３の入口部３０にこの入口部３０を覆うようにして取り外し可能に備えられ、この入口部３０から奥にはできるだけ毛髪が流れ込まないようにするものである。
【００１５】
かかるヘアキャッチャー１は複数の湯水の通し孔１０ａを備えた椀状部１０を有しており、浴室の洗い場の床面Ｙの形成された桝状の窪みＹａ内に開設されたトラップ３の取り付け穴Ｙｂに上部を接続させて備えられるトラップ３に、椀底側をこのトラップ３内に入れ込ませるようにしてその入口部３０に設置されるようになっている。図中符号Ｌで示されるのは、この桝状の窪みＹａを湯水の入り込む隙間Ｙｃを残して覆う化粧蓋である。
【００１６】
図示の例では、トラップ３は、
（１）短寸筒状部３１ａと、この短寸筒状部３１ａの筒上端を巡る外鍔３１ｂと、この短寸筒状部３１ａの筒下端を巡る内鍔３１ｃとを備え、短寸筒状部３１ａの筒下端側を前記取り付け穴Ｙｂ内に入り込ませるように構成された取り付け用輪体３１と、
（２）上面を開放させ筒下端を閉塞させて底とした内筒部３２ａと、この内筒部３２ａの間に流路３２ｃを形成させるようにしてこの内筒部３２ａを取り巻くこの内筒部３２ａよりも上端を上方に位置させる外壁３２ｂと、この流路３２ｃと図示しない排水管との接続部３２ｄと、前記取り付け用輪体３１の短寸筒状部３１ａの入れ込み穴を備えて前記外壁３２ｂの上端上を塞ぐ上蓋３２ｅとを備えたトラップ本体３２と、
（３）取り付け用輪体３１の短寸筒状部３１ａの内鍔３１ｃに上端外鍔３３ａを引っかけるようにして吊り下がり状にトラップ本体３２の内筒部３２ａ内に支持されると共に、下端をトラップ本体３２の内筒部３２ａの底よりも上方に位置させる筒両端を共に開放させた仕切り筒３３とを備えている。
【００１７】
取り付け用輪体３１の短寸筒状部３１ａの外周面には、トラップ本体３２の上蓋３２ｅの入れ込み穴内に形成された図示しない雌ネジ部にかみ合う雄ネジ部が形成されており、取り付け用輪体３１の外鍔３１ｂと前記取り付け穴Ｙｂの上部穴縁との間に環状のゴムパッキン３４を挟み込み、かつ、トラップ本体３２の上蓋３２ｅと取り付け穴Ｙｂの下部穴縁との間に環状のゴムパッキン３４を挟み込みながら、取り付け用輪体３１をトラップ本体３２に前記雌ネジ部と雄ネジ部とを利用してネジ付けることにより、トラップ３は洗い場に設置されるようになっている。すなわち、図示の例では、前記取り付け用輪体３１の筒上端がトラップ３の入口部３０として機能するようになっている。
【００１８】
図示の例では、このトラップ３の入口部３０から流れ込んだ湯水は、仕切り筒３３を通ってトラップ本体３２の内筒部３２ａ内に入り込み、この内筒部３２ａの上端からあふれて外壁３２ｂとの間の流路３２ｃを通じて排水管に至る。内筒部３２ａ内には、常時封水が蓄えられて、排水管側からの臭気を遮断するようになっている。
【００１９】
図示の例では、このように構成されるトラップ３の仕切り筒３３内に収まる筒状をなす金属イオン供給具２と、前記ヘアキャッチャー１とによって、トラップ内装具を構成させている。
【００２０】
かかる金属イオン供給具２は、筒上下端を共に開放させると共に、筒上端に外鍔２０を有し、トラップ３の入口部３０にこの外鍔２０を引っかけてトラップ３内につり下げ状に支持されるように構成されると共に、前記封水に金属イオンを供給する材料で構成されている。これによって、封水の腐敗などをできるだけ生じさせないようにして、トラップ３内を頻繁に清掃しなくてもトラップ３内を清潔に保てるようにしている。図示の例では、金属イオン供給具２は、その筒上端側の内外面形状を、前記取り付け用輪体３１の内郭形状及び仕切り筒３３の内郭形状に倣った形状とさせており、金属イオンの作用によりこれらの内面にぬめりなどを生じさせないようになっている。特に図示の例では、仕切り筒３３の筒上端に内向きに突き出す仕切り筒３３の抜き外し用のリブ３３ｂが筒軸の周回方向において間隔を開けて四箇所に形成されていると共に、金属イオン供給具２の筒上端にはこれを受け入れる凹所２１が形成されており、湯水の流れによってトラップ３内で金属イオン供給具２が暴れたりすることがないようになっている。また、金属イオン供給具２には複数の貫通孔２２が形成されており、取り付け用輪体３１及び仕切り筒３３の内面に金属イオンを供給できるようにしてある。
【００２１】
かかるトラップ内装具、つまり、ヘアキャッチャー１と金属イオン供給具２は、封水の腐敗などを防ぐ金属イオンを生じさせる材料、例えば、ステンレスなどの金属によって構成させることができる。合成樹脂の表面にこうした金属によるメッキを施したり、こうした金属粉を混ぜた合成樹脂によって、トラップ内装具を構成させても良い。トラップ３内の封水の腐敗などを効果的に防止する観点からは、また、材料の加工性や入手の容易性を考慮すると、銅又は銅合金によってトラップ内装具を構成させることが最適とされる。
【００２２】
この実施の形態にあっては、ヘアキャッチャー１の椀状部１０は、その椀底に向かうに連れて次第に内径を漸減させる半球状部１０ｃと後述する接続環部１０ｄとから構成されている。ヘアキャッチャー１は、椀状部１０の椀口１０ｅを巡る外鍔状をなすフランジ部１１を備えると共に、このフランジ部１１の内縁と半球状部１０ｃの口縁とをフランジ部１１側からこの口縁側に向かって緩やかに傾斜した接続環部１０ｄを介して一体に連接させている。そして、かかるヘアキャッチャー１は、かかるフランジ部１１を、トラップ３の入口部３０に引っかけて、このトラップ３の入口部３０に備えられるようになっている。図示の例では、フランジ部１１は取り付け用輪体３１の外鍔３１ｂ上に金属イオン供給具２の外鍔２０を介して載置され、椀状部１０はその椀底を金属イオン供給具２の内側においてトラップ３の仕切り筒３３の筒上端よりも下方に位置させるように支持される。これにより、この実施の形態にあっては、かかるフランジ部１１によってトラップ３にヘアキャッチャー１を取り外し可能に支持させることができるようになっている。また、前記金属イオンを供給する材料によってヘアキャッチャー１を構成させておけば、トラップ３の入口部３０にぬめりなどができるだけ生じないようにすることができる。
【００２３】
また、この実施の形態にあっては、かかる椀状部１０の上部に、側方に突きだし、かつ、突きだし端をトラップ３の入口部３０から離れ出させるつまみ部１２が備えられている。
【００２４】
図示の例では、前記フランジ部１１は、その一箇所において分断されていると共に、この分断箇所内に、この分断箇所においてつまみ下端１２ａを前記接続環部１０ｄに一体に連接させ、かつ、つまみ上端１２ｂをフランジ部１１の外縁の沿う仮想の円の円弧よりも外側に位置させると共に、つまみ上端１２ｂをフランジ部１１の上面よりも上方に位置させるように形成された舌片状をなすつまみ部１２が備えられている。これにより、この実施の形態にあっては、このつまみ部１２を利用してヘアキャッチャー１をトラップ３から容易に取り外し、そのままヘアキャッチャー１を逆さにすることで椀状部１０にたまった毛髪を落とし出すことができ、かかる毛髪の廃棄などの作業をスムースに行うことができるようになっている。
【００２５】
湯水の通し孔１０ａは、ヘアキャッチャー１の椀状部１０に貫通状態に設けられている。図示の例では、前記半球状部１０ｃに形成された各通し孔１０ａは円形の孔として構成されている。かかる半球状部１０ｃの通し孔１０ａは、この半球状部１０ｃの最底部（つまり、椀状部１０の椀底）を中心とした略放射方向に延びる仮想の湾曲線に沿って隣り合う通し孔１０ａとの間に間隔を開けて形成された通し孔組１０ｂを、半球状部１０ｃの周回方向において隣り合う通し孔組１０ｂとの間に間隔を開けて複数箇所に設けることで、半球状部１０ｃに複数個形成されている。仮想の湾曲線は、半球状部１０ｃの周回方向において隣り合う仮想の湾曲線と同じ向きに湾曲するようになっている。
【００２６】
また、前記接続環部１０ｄには、その周回方向において、隣り合う通し孔１０ａとの間に略等しい間隔を開けた、ヘアキャッチャー１の中央に向かって延びる長孔状をなす通し孔１０ａが貫通状態に設けられている。
【００２７】
かかるヘアキャッチャー１の椀状部１０に形成された一つの通し孔１０ａの開口面積は、１２ｍｍ2〜５０ｍｍ2の範囲となっている。この開口面積の下限が１２ｍｍ2未満であると毛髪以外の湯水に含まれる塵芥あるいは塵埃によって、ヘアキャッチャー１の目詰まりが生じやすくなる。一方、この開口面積の上限が５０ｍｍ2超であると、排水管に流入させることが不適当な大きさのものの除去に不十分となる。これは、ＪＩＳ規格A4421-1991の5.7の要請にも適合したものである。
【００２８】
椀状部１０の内周面の面積に占める通し孔１０ａの開口面積の割合が小さすぎると、洗い場で生じる湯水の速やかな排水を阻害する。前記JIS規格では、トラップ３の排水性はＪＩＳ規格A4421-1991の8.7に定める排水試験において６０Ｌ／min以上とされている。一方、椀状部１０の内周面の面積に占める通し孔１０ａの開口面積の割合が大きすぎると、椀状部１０に流れ込んだ湯水が適切な渦を形成しないため、頭髪をヘアキャッチャー１から取り出し、あるいは、落とし出し易いように椀状部１０内に纏めさ難くなる。
【００２９】
図１に示される構造のトラップ３にヘアキャッチャー１を前記のように設置し、一般的に洗い場において生じる量の湯水に、毛髪を混ぜて洗い場に流し、椀状部１０の半球状部１０ｃに対する通し孔１０ａの形成数を変えた各例ごとに、その椀状部１０内において湯水が渦を作るかどうかを観察した。その結果を、以下に示す。（流した湯水の水量：１２．９Ｌ／min（４．３Ｌ／２０sec））なお、各例のヘアキャッチャー１は半球状部１０ｃの通し孔１０ａの形成数以外の構造を変えていない。
【００３０】
（例１）
通し孔１０ａ（直径４ｍｍの丸孔）の数：６９個
全通し孔１０ａの開口面積：１，４５２．２９ｍｍ2
椀状部１０の内周面の面積（通し孔１０ａを含んだ面積12,429.69ｍｍ2）に占める全通し孔１０ａの開口面積の割合：１１．７％
渦の有無：無し
【００３１】
（例２）
通し孔１０ａ（直径４ｍｍの丸孔）の数：６７個
全通し孔１０ａの開口面積：１，４５７．１５ｍｍ2
椀状部１０の内周面の面積（通し孔１０ａを含んだ面積12,429.69ｍｍ2）に占める全通し孔１０ａの開口面積の割合：１１．５％
渦の有無：断続的に渦が生じる。
【００３２】
（例３）
通し孔１０ａ（直径４ｍｍの丸孔）の数：６５個
全通し孔１０ａの開口面積：１，４０２．０１ｍｍ2
椀状部１０の内周面の面積（通し孔１０ａを含んだ面積12,429.69ｍｍ2）に占める全通し孔１０ａの開口面積の割合：１１．３％
渦の有無：断続的に渦が生じる。
【００３３】
（例４）
通し孔１０ａ（直径４ｍｍの丸孔）の数：６３個
全通し孔１０ａの開口面積：１，３７６．８７ｍｍ2
椀状部１０の内周面の面積（通し孔１０ａを含んだ面積12,429.69ｍｍ2）に占める全通し孔１０ａの開口面積の割合：１１．１％
渦の有無：断続的に渦が生じる。
【００３４】
（例５）
通し孔１０ａ（直径４ｍｍの丸孔）の数：６１個
全通し孔１０ａの開口面積：１，３５１．７３ｍｍ2
椀状部１０の内周面の面積（通し孔１０ａを含んだ面積12,429.69ｍｍ2）に占める全通し孔１０ａの開口面積の割合：１０．９％
渦の有無：渦が継続的に生じる。
【００３５】
一方、トラップ３の排水性をＪＩＳ規格の前記排水試験に適合させるためには、上記各例と同じ条件では、通し孔１０ａ（直径４ｍｍの丸孔）の数は４４個以上であり、全通し孔１０ａの開口面積（４４個の通し孔１０ａの開口面積の合算）は９０６．０４ｍｍ2以上でなければならず、このときの、椀状部１０の内周面の面積（通し孔１０ａを含んだ面積12,429.69ｍｍ2）に占める全通し孔１０ａの開口面積の割合は７．３％である。
【００３６】
以上のことから、ヘアキャッチャー１の椀状部１０の内周面の面積に占める全通し孔１０ａの開口面積の割合が、１１．５％〜７．３％の範囲となるようにしておけば、洗い場で一般的に生じる湯水の速やかな排水を阻害することなく、ヘアキャッチャー１の椀状部１０内に湯水が流れ込んできたときに渦を形成させて、毛髪をヘアキャッチャー１から取り出し、あるいは、落とし出し易いように椀状部１０内に纏めさせることができることが分かった。
【００３７】
以上に説明した例とは別に、椀状部１０の上部と椀底との間に、通し孔１０ａのない周回領域、具体的には、通し孔１０ａのない領域を椀底を取り巻くように続く周回帯状に形成させておけば、かかる周回領域によって椀状部１０内に流れ込む湯水が少なくても前記渦が形成されるようにすることができる。
【図面の簡単な説明】
【００３８】
【図１】ヘアキャッチャー１の使用状態を示した断面構成図
【図２】ヘアキャッチャー１の平面図
【図３】図２におけるＡ−Ａ線断面図
【図４】金属イオン供給具２の平面図
【図５】図４におけるＢ−Ｂ線断面図
【符号の説明】
【００３９】
１  ヘアキャッチャー
１０  椀状部
１０ａ  通し孔
３  トラップ
３０  入口部
【図１】
2009174209.tif 000003
【図２】
2009174209.tif 000004
【図３】
2009174209.tif 000005
【図４】
2009174209.tif 000006
【図５】
2009174209.tif 000007